(57)【要約】  良好な光学性能を確保して画像の品質の向上を図る。  少なくとも第１のアクセサリーと第２のアクセサリーが選択的に取り付けられるマウント部を有する筐体と、取り込まれた光を電気的信号に光電変換する撮像素子とを備え、マウント部には第１のアクセサリーが取り付けられる第１のマウント面と第２のアクセサリーが取り付けられる第２のマウント面とが形成され、第１のマウント面と第２のマウント面が同一平面上に位置された。これにより、同一平面上に位置された第１のマウント面と第２のマウント面にそれぞれ第１のアクセサリーと第２のアクセサリーが選択的に取り付けられるため、良好な光学性能を確保して画像の品質の向上を図ることができる。
2019171723.tif 000002
【特許請求の範囲】
【請求項１】
少なくとも第１のアクセサリーと第２のアクセサリーが選択的に取り付けられるマウント部を有する筐体と、
取り込まれた光を電気的信号に光電変換する撮像素子とを備え、
前記マウント部には前記第１のアクセサリーが取り付けられる第１のマウント面と前記第２のアクセサリーが取り付けられる第２のマウント面とが形成され、
前記第１のマウント面と前記第２のマウント面が同一平面上に位置された
撮像装置。
【請求項２】
前記第１のマウント面と前記第２のマウント面が同一の部材の各一部として形成された
請求項１に記載の撮像装置。
【請求項３】
前記第１のマウント面に前記第１のアクセサリーが取り付けられた状態において前記第１のアクセサリーの端子が接続される接点が設けられ、
前記第２のマウント面に前記第２のアクセサリーが取り付けられた状態において前記接点が前記第２のアクセサリーによって遮蔽される
請求項１に記載の撮像装置。
【請求項４】
前記筐体には光軸に直交する方向における前記第１のアクセサリーと前記第２のアクセサリーの位置決めを行う位置決め部が形成された
請求項１に記載の撮像装置。
【請求項５】
光軸上に位置され前記撮像素子へ向かう光の量を低減させる少なくとも一つの中性濃度フィルターを有する第１のフィルター体と、
光軸上において前記第１のフィルター体と離隔して位置され前記撮像素子へ向かう光の量を低減させる少なくとも一つの中性濃度フィルターを有する第２のフィルター体とを更に備え、
前記第２のフィルター体を挟んだ反対側に前記第１のフィルター体と前記撮像素子が位置され、
前記第１のフィルター体に前記中性濃度フィルターのうち最も光学濃度が低い中性濃度フィルターが設けられた
請求項１に記載の撮像装置。
【請求項６】
前記第１のフィルター体を挟んだ前記第２のフィルター体の反対側に赤外線カットフィルターが配置された
請求項５に記載の撮像装置。
【請求項７】
前記第１のフィルター体と前記第２のフィルター体がそれぞれ回転可能にされ、
前記第１のフィルター体と前記第２のフィルター体にそれぞれ光学濃度が異なり周方向に離隔して位置された複数の前記中性濃度フィルターが設けられた
請求項５に記載の撮像装置。
【請求項８】
少なくとも第１のアクセサリーと第２のアクセサリーが選択的に取り付けられるマウント部を有する筐体と、
前記筐体の内部に配置され取り込まれた光を電気的信号に光電変換する撮像素子とを備え、
前記マウント部には前記第１のアクセサリーが取り付けられる第１のマウント面と前記第２のアクセサリーが取り付けられる第２のマウント面とが形成され、
前記第１のマウント面と前記第２のマウント面が同一平面上に位置された
撮像ユニット。
【請求項９】
取り込まれた光を電気的信号に光電変換する撮像素子と、
光軸上に位置され前記撮像素子へ向かう光の量を低減させる少なくとも一つの中性濃度フィルターを有する第１のフィルター体と、
光軸上において前記第１のフィルター体と離隔して位置され前記撮像素子へ向かう光の量を低減させる少なくとも一つの中性濃度フィルターを有する第２のフィルター体とを備え、
前記第２のフィルター体を挟んだ反対側に前記第１のフィルター体と前記撮像素子が位置され、
前記第１のフィルター体に前記中性濃度フィルターのうち最も光学濃度が低い中性濃度フィルターが設けられた
撮像装置。
【請求項１０】
前記第１のフィルター体を挟んだ前記第２のフィルター体の反対側に赤外線カットフィルターが配置された
請求項９に記載の撮像装置。
【請求項１１】
前記第１のフィルター体と前記第２のフィルター体がそれぞれ回転可能にされ、
前記第１のフィルター体と前記第２のフィルター体にそれぞれ光学濃度が異なり周方向に離隔して位置された複数の前記中性濃度フィルターが設けられた
請求項９に記載の撮像装置。
【発明の詳細な説明】
【技術分野】
【０００１】
本技術はアクセサリーがマウント部に対して着脱可能にされた撮像装置及び撮像ユニットについての技術分野に関する。
【背景技術】
【０００２】
ビデオカメラやスチルカメラ等の各種の撮像装置には、交換レンズ等のアクセサリーがマウント部に着脱可能とされ、例えば、交換レンズがマウント部に取り付けられることにより機能性の向上が図られるものがある。また、交換レンズはアダプターを介してマウント部に取り付けられる場合もあり、アダプターも撮像装置におけるアクセサリーとして用いられる（例えば、特許文献１参照）。【０００３】
このようなアクセサリーが着脱可能とされた撮像装置にあっては、撮影態様や撮影目的等に応じて交換レンズ等の異なる種類のアクセサリーを取り付けることにより、撮影シーンに合わせた撮影を行うことが可能になり、利便性の向上が図られる。
【先行技術文献】
【特許文献】
【０００４】
【特許文献１】特開２０１３−９２５５６号公報
【発明の概要】
【発明が解決しようとする課題】
【０００５】
ところで、上記のような撮像装置においては、筐体の内部にフィルターや撮像素子等の各種の機能を有する光学機能部が配置されており、これらの光学機能部の良好な光学性能を確保して撮影される画像の品質の向上が図られることが必要である。【０００６】
特に、上記のような異なるアクセサリーが選択的にマウント部に着脱可能な撮像装置においては、マウント部に何れのアクセサリーが取り付けられた状態においても良好な光学性能を確保して画像の品質の向上が図られることが望ましい。【０００７】
そこで、本技術撮像装置及び撮像ユニットは、上記した問題点を克服し、良好な光学性能を確保して画像の品質の向上を図ることを目的とする。
【課題を解決するための手段】
【０００８】
第１に、本技術に係る撮像装置は、少なくとも第１のアクセサリーと第２のアクセサリーが選択的に取り付けられるマウント部を有する筐体と、取り込まれた光を電気的信号に光電変換する撮像素子とを備え、前記マウント部には前記第１のアクセサリーが取り付けられる第１のマウント面と前記第２のアクセサリーが取り付けられる第２のマウント面とが形成され、前記第１のマウント面と前記第２のマウント面が同一平面上に位置されたものである。【０００９】
これにより、同一平面上に位置された第１のマウント面と第２のマウント面にそれぞれ第１のアクセサリーと第２のアクセサリーが選択的に取り付けられる。【００１０】
第２に、上記した本技術に係る撮像装置においては、前記第１のマウント面と前記第２のマウント面が同一の部材の各一部として形成されることが望ましい。【００１１】
これにより、第１のマウント面と第２のマウント面が同一の部材に形成される。【００１２】
第３に、上記した本技術に別の撮像装置においては前記第１のマウント面に前記第１のアクセサリーが取り付けられた状態において前記第１のアクセサリーの端子が接続される接点が設けられ、前記第２のマウント面に前記第２のアクセサリーが取り付けられた状態において前記接点が前記第２のアクセサリーによって遮蔽されることが望ましい。【００１３】
これにより、第１のアクセサリーの非使用時に接点が遮蔽される。【００１４】
第４に、上記した本技術に係る撮像装置においては、前記筐体には光軸に直交する方向における前記第１のアクセサリーと前記第２のアクセサリーの位置決めを行う位置決め部が形成されることが望ましい。【００１５】
これにより、一つの位置決め部によって筐体に対する第１のアクセサリーと第２のアクセサリーの光軸に直交する方向における位置決めが行われる。【００１６】
第５に、上記した本技術に係る撮像装置においては、光軸上に位置され前記撮像素子へ向かう光の量を低減させる少なくとも一つの中性濃度フィルターを有する第１のフィルター体と、光軸上において前記第１のフィルター体と離隔して位置され前記撮像素子へ向かう光の量を低減させる少なくとも一つの中性濃度フィルターを有する第２のフィルター体とを更に備え、前記第２のフィルター体を挟んだ反対側に前記第１のフィルター体と前記撮像素子が位置され、前記第１のフィルター体に前記中性濃度フィルターのうち最も光学濃度が低い中性濃度フィルターが設けられることが望ましい。【００１７】
これにより、最も光学濃度が低い中性濃度フィルターが設けられた第１のフィルター体が第２のフィルター体を挟んで撮像素子の反対側に位置される。【００１８】
第６に、上記した本技術に係る撮像装置においては、前記第１のフィルター体を挟んだ前記第２のフィルター体の反対側に赤外線カットフィルターが配置されることが望ましい。【００１９】
これにより、中性濃度フィルターに赤外線カットフィルターを透過された光が入射される。【００２０】
第７に、上記した本技術に係る撮像装置においては、前記第１のフィルター体と前記第２のフィルター体がそれぞれ回転可能にされ、前記第１のフィルター体と前記第２のフィルター体にそれぞれ光学濃度が異なり周方向に離隔して位置された複数の前記中性濃度フィルターが設けられることが望ましい。【００２１】
これにより、第１のフィルター体と第２のフィルター体を回転させることにより光学濃度が異なる中性濃度フィルターの組み合わせの数が増える。【００２２】
第９に、本技術に係る撮像ユニットは、少なくとも第１のアクセサリーと第２のアクセサリーが選択的に取り付けられるマウント部を有する筐体と、前記筐体の内部に配置され取り込まれた光を電気的信号に光電変換する撮像素子とを備え、前記マウント部には前記第１のアクセサリーが取り付けられる第１のマウント面と前記第２のアクセサリーが取り付けられる第２のマウント面とが形成され、前記第１のマウント面と前記第２のマウント面が同一平面上に位置されたものである。【００２３】
これにより、同一平面上に位置された第１のマウント面と第２のマウント面にそれぞれ第１のアクセサリーと第２のアクセサリーが選択的に取り付けられる。【００２４】
第６に、本技術に係る別の撮像装置は、取り込まれた光を電気的信号に光電変換する撮像素子と、光軸上に位置され前記撮像素子へ向かう光の量を低減させる少なくとも一つの中性濃度フィルターを有する第１のフィルター体と、光軸上において前記第１のフィルター体と離隔して位置され前記撮像素子へ向かう光の量を低減させる少なくとも一つの中性濃度フィルターを有する第２のフィルター体とを備え、前記第２のフィルター体を挟んだ反対側に前記第１のフィルター体と前記撮像素子が位置され、前記第１のフィルター体に前記中性濃度フィルターのうち最も光学濃度が低い中性濃度フィルターが設けられたものである。【００２５】
これにより、最も光学濃度が低い中性濃度フィルターが設けられた第１のフィルター体が第２のフィルター体を挟んで撮像素子の反対側に位置される。【００２６】
第１０に、上記した本技術に係る別の撮像装置においては、前記第１のフィルター体を挟んだ前記第２のフィルター体の反対側に赤外線カットフィルターが配置されることが望ましい。【００２７】
これにより、中性濃度フィルターに赤外線カットフィルターを透過された光が入射される。【００２８】
第１１に、上記した本技術に係る別の撮像装置においては、前記第１のフィルター体と前記第２のフィルター体がそれぞれ回転可能にされ、前記第１のフィルター体と前記第２のフィルター体にそれぞれ光学濃度が異なり周方向に離隔して位置された複数の前記中性濃度フィルターが設けられることが望ましい。【００２９】
これにより、第１のフィルター体と第２のフィルター体を回転させることにより光学濃度が異なる中性濃度フィルターの組み合わせの数が増える。
【発明の効果】
【００３０】
本技術によれば、良好な光学性能を確保して画像の品質の向上を図ることができる。【００３１】
尚、本明細書に記載された効果はあくまでも例示であって限定されるものではなく、他の効果があってもよい。
【図面の簡単な説明】
【００３２】
【図１】図２乃至図２９と共に本技術の実施の形態を示すものであり、本図は、第１のアクセサリーと撮像装置を示す斜視図である。
【図２】第２のアクセサリーと第３のアクセサリーと撮像装置を示す斜視図である。
【図３】第２のアクセサリーが取り付けられた状態で示す撮像装置の斜視図である。
【図４】撮像ユニットが装置本体から取り外された状態を示す撮像装置の斜視図である。
【図５】外パネルを示す分解斜視図である。
【図６】装置本体の分解斜視図である。
【図７】装置本体の斜視図である。
【図８】冷却用ファンが取り外された状態で示す装置本体の斜視図である。
【図９】冷却風の冷却流路を示す断面図である。
【図１０】撮像ユニットと第２のアクセサリーの斜視図である。
【図１１】撮像ユニットの正面図である。
【図１２】撮像ユニットの分解斜視図である。
【図１３】撮像ユニットに第２のアクセサリーが取り付けられた状態を示す断面図である。
【図１４】第１のフィルター体と中間リングを示す正面図である。
【図１５】第２のフィルター体と中間リングを示す背面図である。
【図１６】ハンドルやファインダーユニット等を示す分解斜視図である。
【図１７】ハンドルが調整台に取り付けられた状態を示す斜視図である。
【図１８】ハンドルが調整台に取り付けられた状態を一部断面にして示す正面図である。
【図１９】ハンドルが調整台に図１７とは逆向きで取り付けられた状態を示す斜視図である。
【図２０】ハンドルが調整台に図１７及び図１９とは異なる向きで取り付けられた状態を示す斜視図である。
【図２１】ファインダーユニットが調整台に取り付けれた状態を一部を断面にして示す側面図である。
【図２２】ファインダー部が図２１とは異なる向きになるようにビュー本体が回動された状態を一部を断面にして示す側面図である。
【図２３】ファインダー部が図２１及び図２２とは異なる向きになるようにビュー本体が回動された状態を一部を断面にして示す側面図である。
【図２４】ファインダーユニットが調整台に取り付けれた状態を一部を断面にして示す正面図である。
【図２５】ファインダーユニットが調整台に取り付けれた状態において連結軸部が移動された状態を一部を断面にして示す正面図である。
【図２６】第２のアクセサリーの分解斜視図である。
【図２７】撮像ユニットに第２のアクセサリーが取り付けられた状態を示す斜視図である。
【図２８】撮像ユニットに第２のアクセサリーが取り付けられた状態を示す正面図である。
【図２９】撮像装置のブロック図である。
【発明を実施するための形態】
【００３３】
以下に、本技術撮像装置及び撮像ユニットを実施するための形態を添付図面を参照して説明する。
【００３４】
以下に示した実施の形態は、本技術撮像装置及び撮像ユニットをビデオカメラ及びこのビデオカメラに備えられた撮像ユニットに適用したものである。
【００３５】
尚、本技術の適用範囲はビデオカメラ及びこのビデオカメラに備えられた撮像ユニットに限られることはない。本技術は、例えば、ビデオカメラ以外のスチルカメラ等の他の各種の撮像装置及びこれらの各種の撮像装置に備えられた撮像ユニットに広く適用することができる。
【００３６】
以下の説明にあっては、ビデオカメラの撮影時において撮影者から見た方向で前後上下左右の方向を示すものとする。従って、物体側が前方となり、像面側が後方となる。
【００３７】
尚、以下に示す前後上下左右の方向は説明の便宜上のものであり、本技術の実施に関しては、これらの方向に限定されることはない。
【００３８】
また、以下に示すレンズ群は、単数又は複数のレンズにより構成されたものの他、これらの単数又は複数のレンズと絞りやアイリス等の他の光学素子を含んでもよい。
【００３９】
＜撮像装置の構成＞
撮像装置１は装置本体２と撮像ユニット３を有し、撮像ユニット３が装置本体２に対して着脱可能にされている（図１乃至図４参照）。尚、装置本体２は撮像ユニット３に対する外部装置として設けられていてもよく、この場合には撮像ユニット３が外部装置に対して着脱可能にされる。また、撮像ユニット３は単体で撮像装置として設けられていてもよい。
【００４０】
装置本体２は外パネル４と外筐５を有し、外筐５が外パネル４によって覆われた構造にされている（図４及び図５参照）。
【００４１】
外パネル４はベースパネル部６とアッパーパネル部７とリアパネル部８を有し、ベースパネル部６が上下方向を向く底面部９と底面部９の左右両側縁にそれぞれ連続され左右に離隔して位置された一対の側面部１０、１１とを有している。
【００４２】
ベースパネル部６には側面部１０、１１に各種の操作部１２、１２、・・・が配置されている。操作部１２、１２、・・・としては、例えば、電源釦、撮影釦、ズーム摘子、モード切替摘子等が設けられている。側面部１０、１１にはそれぞれ液晶パネル等の表示部１３、１３が配置されている。
【００４３】
側面部１０の上端寄りの位置には、例えば、左右に延びる流入孔１０ａ、１０ａ、・・・が上下に並んで形成されている。側面部１１の下端寄りの位置には、例えば、上下に延びる流出孔１１ａ、１１ａ、・・・が左右に並んで形成されている。
【００４４】
リアパネル部８の一方の側部には接続端子１４、１４、・・・が上下に並んで配置されている（図１及び図２参照）。接続端子１４、１４、・・・には電力の供給や信号の送受信等を行うための図示しないケーブルが接続される。
【００４５】
アッパーパネル部７は上下方向を向く板状に形成され、左右両端部がそれぞれ側面部１０、１１の上端部に取り付けられる（図４及び図５参照）。
【００４６】
リアパネル部８は前後方向を向く板状に形成され、外周部がベースパネル部６の後端部とアッパーパネル部７の後端部とに取り付けられる。
【００４７】
上記のように、アッパーパネル部７が側面部１０、１１に取り付けられると共にリアパネル部８がベースパネル部６とアッパーパネル部７に取り付けられることにより外パネル４が構成され、外筐５が外パネル４によって上下左右及び後方から覆われる（図４参照）。
【００４８】
アッパーパネル部７の上面には調整台１５が取り付けられている（図３乃至図５参照）。調整台１５は縦長の矩形状に形成され、左右方向における中央部が凹状の溝部１６として形成され、溝部１６の左右両側の部分が調整部１７、１７として設けられている。調整部１７、１７の下端部における溝部１６側の部分には、それぞれ溝部１６側に開口され前後に延びるスライド溝１７ａ、１７ａが形成されている。調整部１７、１７には調整用螺孔１７ｂ、１７ｂ、・・・が前後に並んで形成されている。
【００４９】
外筐５は、例えば、熱伝導性の高い金属材料によって形成され、本体フレーム１８と側面板１９を有している（図６及び図７参照）。
【００５０】
本体フレーム１８は、上下方向を向く天面板２０と、天面板２０の真下に位置された上下方向を向く底面板２１と、上縁が天面板２０の外周縁に連続され下縁が底面板２１の外周縁に連続された周面板２２と、枠状に形成された枠面部２３とを有している。
【００５１】
天面板２０には上下に貫通された挿通孔２０ａが形成されている。
【００５２】
底面板２１には上面側に放熱フィン２４、２４、・・・が前後に並んで結合されている。
【００５３】
周面板２２は、上下両縁がそれぞれ天面板２０の前縁と底面板２１の前縁とに連続された前面板２５と、上下両縁がそれぞれ天面板２０の左側縁と底面板２１の左側縁とに連続された側面板２６と、上下両縁がそれぞれ天面板２０の後縁と底面板２１の後縁とに連続された後面板２７とから成る。前面板２５にはそれぞれ前後に貫通されたフィン挿通孔２５ａと挿入孔２５ｂが上下に離隔して形成されている。側面板２６にはそれぞれ左右に貫通された吸気孔２６ａと挿通孔２６ｂが上下に離隔して形成されている。
【００５４】
枠面部２３は前面板２５の外周部に連続され略矩形状に形成されている。外筐５には枠面部２３と前面板２５によって囲まれた配置空間５ａが形成されている。
【００５５】
側面板１９は左右方向を向き、本体フレーム１８の右端部に取り付けられている。側面板１９には左右に貫通された排気孔１９ａ、１９ａ、・・・が前後に並んで形成されている。
【００５６】
側面板１９の左側面には放熱フィン２８、２８、・・・が前後に並んで結合されている。放熱フィン２８は、上端部の一部が直角に折り曲げられて第１の結合部２８ａとして設けられ、左端部の一部が直角に折り曲げられて第２の結合部２８ｂとして設けられている。放熱フィン２８は上端部における左端部が他の部分に対して左方に突出された突状挿入部２８ｃとして設けられている。
【００５７】
放熱フィン２８、２８、・・・は、第１の結合部２８ａ、２８ａ、・・・が天面板２０の挿通孔２０ａを挿通され、第２の結合部２８ｂ、２８ｂ、・・・が側面板２６の挿通孔２６ｂを挿通されている。放熱フィン２８、２８、・・・は突状挿入部２８ｃ、２８ｃ、・・・が側面板２６の吸気孔２６ａに挿入されている。
【００５８】
外筐５には内部に冷却用ファン２９が配置され、冷却用ファン２９は外筐５に対して着脱可能にされている（図６乃至図８参照）。冷却用ファン２９は上下に貫通されたケース部３０とケース部３０の内部において回転される羽根３１とを有し、ケース部３０の内部の空間が通気孔３０ａとして形成されている。冷却用ファン２９にはケース部３０から導出されたコネクター３２が設けられている。
【００５９】
冷却用ファン２９は羽根３１の回転によって、例えば、上方側から空気を取り込み取り込んだ空気を下方側へ流動させる構成にされている。
【００６０】
冷却用ファン２９は外筐５の前面板２５に形成された挿入孔２５ｂを介して外筐５の内外で出し入れ可能にされており、挿入孔２５ｂから外筐５の内部に全体が挿入された状態において外筐５の内部に設けられた図示しない保持部に保持される。冷却用ファン２９が挿入孔２５ｂから挿入されるときには、外筐５の内部に設けられたコネクター端子３３にコネクター３２が接続され、冷却用ファン２９に対する電源の供給等が可能な状態にされる。コネクター端子３３は後述する回路基板の一つに接続されている。
【００６１】
冷却用ファン２９は、外筐５の内部に配置された状態において、側面板１９に結合された放熱フィン２８、２８、・・・の真下に位置される。冷却用ファン２９が外筐５の内部に配置された状態においては、前面板２５の前面にファンカバー３４がネジ止め等によって取り付けられ、冷却用ファン２９がファンカバー３４によって覆われる。ファンカバー３４は前後方向を向く板状に形成されている。
【００６２】
このように冷却用ファン２９はファンカバー３４によって覆われるため、前面板２５からファンカバー３４を取り外し、冷却用ファン２９を挿入孔２５ｂから引き出すことにより外筐５から冷却用ファン２９を取り出すことができる。
【００６３】
外筐５における天面板２０の外面（上面）には第１の回路基板３５が取り付けられている（図６及び図９参照）。第１の回路基板３５の下面には挿通孔２０ａに挿通された放熱フィン２８、２８、・・・の第１の結合部２８ａ、２８ａ、・・・が結合されている。尚、第１の回路基板３５は天面板２０に取り付けられた図示しない第１の伝熱板の上面に取り付けられ、第１の伝熱板の下面に第１の結合部２８ａ、２８ａ、・・・が結合され、第１の回路基板３５が第１の伝熱板を介して放熱フィン２８、２８、・・・に結合されていてもよい。
【００６４】
外筐５における後面板２７の外面（後面）には第２の回路基板３６が取り付けられている。尚、第２の回路基板３６は後面板２７の後面に取り付けられた図示しない第２の伝熱板の後面に取り付けられ、第２の伝熱板の上端部と第１の伝熱板の後端部とが結合され、第２の回路基板３６が第２の伝熱板と第１の伝熱板を介して放熱フィン２８、２８、・・・に結合されていてもよい。
【００６５】
外筐５における側面板１９の外面（右側面）には、排気孔１９ａ、１９ａ、・・・の上側に第３の回路基板３７が取り付けられている。尚、第３の回路基板３７は側面板１９の右側面に取り付けられた図示しない第３の伝熱板の右側面に取り付けられ、第３の回路基板３７が第３の伝熱板を介して側面板１９に結合されていてもよい。
【００６６】
外筐５における側面板２６の外面（左側面）には、吸気孔２６ａの下側に第４の回路基板３８が取り付けられている。第４の回路基板３８の右側面には挿通孔２６ｂに挿通された放熱フィン２８、２８、・・・の第２の結合部２８ｂ、２８ｂ、・・・が結合されている。尚、第４の回路基板３８は側面板２６に取り付けられた図示しない第４の伝熱板の左側面に取り付けられ、第４の伝熱板の右側面に第２の結合部２８ｂ、２８ｂ、・・・が結合され、第４の回路基板３８が第４の伝熱板を介して放熱フィン２８、２８、・・・に結合されていてもよい。
【００６７】
外パネル４の側面部１０と外筐５の側面板２６との間には第１のダクト部９８が配置されている（図９参照）。第１のダクト部９８は左右方向が軸方向にされた筒状に形成され、軸方向における一端面が側面部１０の内面において流入孔１０ａ、１０ａ、・・・の周囲の部分に接合され、軸方向における他端面が側面板２６の外面において吸気孔２６ａの周囲の部分に接合されている。
【００６８】
従って、流入孔１０ａ、１０ａ、・・・から流入された外部の空気は第１のダクト部９８を通って吸気孔２６ａから外筐５の内部に流動される。
【００６９】
外パネル４の側面部１１と外筐５の側面板１９との間には第２のダクト部９９が配置されている。第２のダクト部９９は左右方向が軸方向にされた筒状に形成され、軸方向における一端面が側面部１１の内面において流出孔１１ａ、１１ａ、・・・の周囲の部分に接合され、軸方向における他端面が側面板１９の外面において排気孔１９ａ、１９ａ、・・・の周囲の部分に接合されている。
【００７０】
従って、外筐５の内部で流動された空気は排気孔１９ａ、１９ａ、・・・から第２のダクト９９を通って流出孔１１ａ、１１ａ、・・・から流出される。
【００７１】
上記したように、撮像装置１においては、外筐５の外面に第１の回路基板３５と第２の回路基板３６と第３の回路基板３７と第４の回路基板３８が取り付けられており、第１のダクト部９８と第２のダクト９９によって流入孔１０ａ、１０ａ、・・・、吸気孔２６ａ、流出孔１１ａ、１１ａ、・・・及び排気孔１９ａ、１９ａ、・・・と第１の回路基板３５、第２の回路基板３６、第３の回路基板３７及び第４の回路基板３８とが隔離されている。
【００７２】
従って、流入孔１０ａ、１０ａ、・・・や流出孔１１ａ、１１ａ、・・・から雨水や塵埃等が侵入してしまった場合にも侵入した雨水や塵埃等が第１の回路基板３５、第２の回路基板３６、第３の回路基板３７及び第４の回路基板３８に付着されることがなく、第１の回路基板３５、第２の回路基板３６、第３の回路基板３７及び第４の回路基板３８の良好な動作状態を確保することができる。
【００７３】
尚、第１のダクト部９８は外パネル４の側面部１０又は外筐５の側面板２６と一体に形成されていてもよく、第２のダクト９９は外パネル４の側面部１１又は外筐５の側面板１９と一体に形成されていてもよい。
【００７４】
上記のように構成された装置本体２において、冷却用ファン２９が回転されると冷却用ファン２９の回転に伴って対流が発生する。冷却用ファン２９が回転されると、図９に矢印で示すように、外パネル４の側面部１０に形成された流入孔１０ａ、１０ａ、・・・から外部の空気が冷却風として外パネル４の内部に流入され、流入された空気が外筐５の側面板２６に形成された吸気孔２６ａから冷却用ファン２９の通気孔３０ａを流動されて側面板１９に形成された排気孔１９ａ、１９ａ、・・・から排気され、外パネル４の側面部１２に形成された流出孔１１ａ、１１ａ、・・・から外部に流出される。従って、冷却風の冷却流路は、順に、流入孔１０ａ、１０ａ、・・・から吸気孔２６ａ、通気孔３０ａ及び排気孔１９ａ、１９ａ、・・・を通って流出孔１１ａ、１１ａ、・・・と言う流路とされる。
【００７５】
このとき冷却風は吸気孔２６ａから放熱フィン２８、２８、・・・に沿って冷却用ファン２９へ向けて流動されると共に冷却用ファン２９から放熱フィン２４、２４、・・・に沿って排気孔１９ａ、１９ａ、・・・へ向けて流動される。
【００７６】
装置本体２の後面にはバッテリー５００が装着される（図１及び図２参照）。バッテリー５００は装置本体２や撮像ユニット３の各部に対して電源を供給する機能を有している。
【００７７】
撮像ユニット３は筐体３９の内外に所要の各部が配置されて構成されている（図１０乃至図１３参照）。筐体３９は後方に開口された厚みの薄い箱状に形成されたフロントケース部４０と前方に開口された厚みの薄い箱状に形成された後述するリアケース部とを有している。
【００７８】
フロントケース部４０の中央部には前後に貫通された透過孔４０ａが形成されている。
【００７９】
フロントケース部４０の前面の一部は後述する第１のアクセサリーと第２のアクセサリーが選択的に取り付けられるマウント部４１として形成されている。マウント部４１は、透過孔４０ａに連続する部分が円環状の第１のマウント面４２として形成されている。マウント部４１は、一部が円環状の第２のマウント面４３として形成され、第２のマウント面４３は第１のマウント面４２の外周側において第１のマウント面４２と離隔して位置されている。第１のマウント面４２と第２のマウント面４３は同一平面上に位置され、透過孔４０ａの中心を基準とした同心円形状に形成されている。
【００８０】
フロントケース部４０にはそれぞれ第１のマウント面４２と第２のマウント面４３において前方に突出された位置決めピン４２ａ、４３ａが設けられている。フロントケース部４０には第１のマウント面４２の外周側に結合用孔４０ｂ、４０ｂが周方向に離隔して形成され、結合用孔４０ｂ、４０ｂは円弧状に形成されている（図１２参照）。フロントケース部４０の内周寄りの部分には螺溝４０ｃが形成されている（図１３参照）。フロントケース部４０には第１のマウント面４２に開口されたネジ穴４０ｄ、４０ｄ、・・・が周方向に離隔して形成されている。フロントケース部４０の内周面は位置決め部４０ｅとして形成されている。
【００８１】
フロントケース部４０の前面には第１のマウント面４２と第２のマウント面４３の間に化粧リング４４が取り付けられている（図１０乃至図１３参照）。化粧リング４４の下端部には下方に開口された切欠４４ａが形成されている（図１２参照）。
【００８２】
フロントケース部４０の前面には第１のマウント面４２と化粧リング４４の間に環状の取付レバー４５が回転可能に支持されている（図１０乃至図１３参照）。取付レバー４５は円環状のベース部４５ａとベース部４５ａから後方に突出された結合部４５ｂ、４５ｂとベース部４５ａから前方に突出された操作突部４５ｃとを有している。取付レバー４５は結合部４５ｂ、４５ｂがそれぞれ結合用孔４０ｂ、４０ｂに挿通された状態でフロントケース部４０に支持されている。
【００８３】
フロントケース部４０の後面側には結合リング４６が回転可能に支持されている（図１２及び図１３参照）。結合リング４６の外周面には螺合溝４６ａが形成され、螺合溝４６ａがフロントケース部４０の螺溝４０ｃに螺合されている。結合リング４６の内周部には内方に突出された係合部４６ｂ、４６ｂ、４６ｂが周方向に離隔して設けられている。
【００８４】
結合リング４６には結合用孔４０ｂ、４０ｂに挿通された取付レバー４５の結合部４５ｂ、４５ｂが結合されている。従って、操作突部４５ｃが操作されることにより、取付レバー４５と結合リング４６が一体になってフロントケース部４０に対して回転され、回転に伴って螺合溝４６ａの螺溝４０ｃに対する螺合位置が変化されて取付レバー４５と結合リング４６が一体になってフロントケース部４０に対して前後方向へ変位される。
【００８５】
フロントケース部４０には第２のマウント面４３の内周側に接点４７、４７が周方向において並んで配置されている。接点４７、４７は化粧リング４４の切欠４４ａに位置されている。
【００８６】
フロントケース部４０の内部にはフィルターホルダー４８が配置され、フィルターホルダー４８はフロントケース部４０の内面に取り付けられている。フィルターホルダー４８は後方に開口された浅いケース状に形成され、前後に貫通された透孔４８ａを有している。フィルターホルダー４８には透孔４８ａの直ぐ上側の部分に後方に突出された支持部４８ｂが設けられている。
【００８７】
フィルターホルダー４８には保持部材４９が取り付けられている。保持部材４９は枠状に形成された保持部４９ａと保持部４９ａから下方に突出された接点配置部４９ｂとを有している。保持部４９ａには略矩形状の赤外線カットフィルター５０が保持され、接点配置部４９ｂには接点５１、５１、・・・が周方向に並んで配置されている。
【００８８】
保持部材４９は保持部４９ａが透孔４８ａを覆う状態でフィルターホルダー４８に前側から取り付けられている。
【００８９】
フィルターホルダー４８の後側には中間リング５２と第１のフィルター体５３と第２のフィルター体５４が配置されている。
【００９０】
中間リング５２は前後方向（光軸方向）において第１のフィルター体５３と第２のフィルター体５４の間に位置され、第１のフィルター体５３が中間リング５２の前側に位置され、第２のフィルター体５４が中間リング５２の後側に位置されている（図１２乃至図１５参照）。
【００９１】
中間リング５２は略円環状のリング部５５とリング部５５にそれぞれ回転可能に支持された第１の駆動ギヤ５６、第１の従動ギヤ５７、第２の駆動ギヤ５８及び第２の従動ギヤ５９とを有している。リング部５５には、順に、第２の従動ギヤ５９、第１の駆動ギヤ５６、第２の駆動ギヤ５８、第１の従動ギヤ５７が周方向に離隔して支持されている。
【００９２】
第１の駆動ギヤ５６は小径部５６ａと大径部５６ｂを有する２段ギヤであり、小径部５６ａがリング部５５の後面側に支持され、大径部５６ｂがリング部５５の前面側に支持されている。第２の駆動ギヤ５８は小径部５８ａと大径部５８ｂを有する２段ギヤであり、小径部５８ａがリング部５５の前面側に支持され、大径部５８ｂがリング部５５の後面側に支持されている。
【００９３】
筐体３９の内部には第１の駆動モーター６０と第２の駆動モーター６１が配置され、第１の駆動モーター６０にはウォーム６０ａが設けられ、第２の駆動モーター６１にはウォーム６１ａが設けられている。
【００９４】
第１の駆動モーター６０のウォーム６０ａは第１の駆動ギヤ５６の小径部５６ａに噛合されている。従って、第１の駆動ギヤ５６は第１の駆動モーター６０の回転方向に応じた方向へ回転される。第２の駆動モーター６１のウォーム６１ａは第２の駆動ギヤ５８の小径部５８ａに噛合されている（図１５参照）。従って、第２の駆動ギヤ５８は第２の駆動モーター６１の回転方向に応じた方向へ回転される。
【００９５】
第１のフィルター体５３は略円板状に形成され、外周面にギヤ部５３ａを有している（図１２及び図１４参照）。第１のフィルター体５３の中心部には前後に貫通された被支持孔５３ｂが形成されている。第１のフィルター体５３にはそれぞれ略矩形状に形成された第１の中性濃度フィルター６２と第２の中性濃度フィルター６３と透明板６４が配置されている。第１の中性濃度フィルター６２と第２の中性濃度フィルター６３と透明板６４は周方向において等間隔に位置されている。
【００９６】
第１の中性濃度フィルター６２と第２の中性濃度フィルター６３はＮＤ（neutral density）フィルターとも称され、画像の発色に影響を与えることなく光量のみを減少させる減光フィルターである。第１の中性濃度フィルター６２は光学濃度が第２の中性濃度フィルター６３の光学濃度より低くされ、第１の中性濃度フィルター６２は、例えば、光学濃度が０．３にされ、第２の中性濃度フィルター６３は、例えば、光学濃度が０．６にされている。
【００９７】
第１のフィルター体５３は被支持孔５３ｂに支持部４８ｂが挿入され、フィルターホルダー４８に回転可能に支持されている（図１３参照）。第１のフィルター体５３はギヤ部５３ａが第１の駆動ギヤ５６の大径部５６ｂと第１の従動ギヤ５７に噛合され、第１の駆動モーター６０の回転方向に応じた方向へフィルターホルダー４８に対して回転される（図１４参照）。
【００９８】
第１のフィルター体５３が回転されることにより、第１の中性濃度フィルター６２と第２の中性濃度フィルター６３と透明板６４の何れかが赤外線カットフィルター５０の真後ろに位置され、第１のフィルター体５３の回転位置に応じて赤外線カットフィルター５０を透過された光の減少の程度が変化される。
【００９９】
第２のフィルター体５４は略円板状に形成され、外周面にギヤ部５４ａを有している（図１２及び図１５参照）。第２のフィルター体５４の中心部には前方に開口された被支持凹部５４ｂが形成されている。第２のフィルター体５４にはそれぞれ略矩形状に形成された第３の中性濃度フィルター６５と第４の中性濃度フィルター６６と透明板６７が配置されている。第３の中性濃度フィルター６５と第４の中性濃度フィルター６６と透明板６７は周方向において等間隔に位置されている。
【０１００】
第３の中性濃度フィルター６５と第４の中性濃度フィルター６６はＮＤフィルターとも称され、画像の発色に影響を与えることなく光量のみを減少させる減光フィルターである。第３の中性濃度フィルター６５は光学濃度が第４の中性濃度フィルター６６の光学濃度より低くされ、第３の中性濃度フィルター６５は、例えば、光学濃度が０．９にされ、第４の中性濃度フィルター６６は、例えば、光学濃度が１．８にされている。従って、第３の中性濃度フィルター６５と第４の中性濃度フィルター６６の光学濃度は第１の中性濃度フィルター６２と第２の中性濃度フィルター６３の光学濃度より高くされている。
【０１０１】
第２のフィルター体５４は被支持凹部５４ｂに支持部４８ｂが挿入され、フィルターホルダー４８に回転可能に支持されている（図１３参照）。第２のフィルター体５４はギヤ部５４ａが第２の駆動ギヤ５８の大径部５８ｂと第２の従動ギヤ５９に噛合され、第２の駆動モーター６１の回転方向に応じた方向へフィルターホルダー４８に対して回転される（図１５参照）。
【０１０２】
第２のフィルター体５４が回転されることにより、第３の中性濃度フィルター６５と第４の中性濃度フィルター６６と透明板６７の何れかが赤外線カットフィルター５０の真後ろに位置された第１の中性濃度フィルター６２、第２の中性濃度フィルター６３又は透明板６４の真後ろに位置され、第２のフィルター体５４の回転位置に応じて第３の中性濃度フィルター６５、第４の中性濃度フィルター６６又は透明板６７を透過された光の減少の程度が変化される。
【０１０３】
従って、撮像装置１においては、第１の中性濃度フィルター６２と第２の中性濃度フィルター６３と透明板６４の何れかに対して第３の中性濃度フィルター６５と第４の中性濃度フィルター６６と透明板６７の何れかが光の入射経路（光軸上）に位置されるため、第１の中性濃度フィルター６２、第２の中性濃度フィルター６３及び透明板６４と第３の中性濃度フィルター６５、第４の中性濃度フィルター６６及び透明板６７の組み合わせによる９通りの光の減少の程度が設定可能にされている。
【０１０４】
筐体３９の内部には回転検出センサー６８、６８が中間リング５２の外周側に配置されている（図１２参照）。回転検出センサー６８、６８によって第１のフィルター体５３と第２のフィルター体５４の回転位置が検出される。
【０１０５】
フィルターホルダー４８にはリアカバー６９が後方から取り付けられている（図１２及び図１３参照）。リアカバー６９は前方に開口された浅いケース状に形成され、中間リング５２と第１のフィルター体５３と第２のフィルター体５４を後方から覆う状態でフィルターホルダー４８に取り付けられている。リアカバー６９の下端寄りの位置には略矩形状のローパスフィルター７０が保持されている。ローパスフィルター７０によって光の高周波成分が遮断される。
【０１０６】
リアカバー６９の後方には素子ホルダー７１が配置されている。素子ホルダー７１は略矩形の枠状に形成されている。
【０１０７】
素子ホルダー７１には素子ユニット７２が保持されている。素子ユニット７２は略前後方向を向く板状の保持ベース７２ａと保持ベース７２ａに保持された撮像素子７２ｂと撮像素子７２ｂを制御する素子制御基板７２ｃと保持ベース７２ａの上下両端部に取り付けられた接合部７２ｄ、７２ｄとを有している。撮像素子７２ｂとしては、例えば、ＣＣＤ（Charge Coupled Device）やＣＭＯＳ（Complementary Metal-Oxide Semiconductor）等が用いられている。撮像素子７２ｂは素子制御基板７２ｃの前面に搭載されている。
【０１０８】
素子ユニット７２は接合部７２ｄ、７２ｄがそれぞれ素子ホルダー７１の上下両端部に接合されることにより素子ホルダー７１に保持されている。
【０１０９】
素子ホルダー７１の後側には基板ホルダー７３が配置されている。基板ホルダー７３は、例えば、熱伝導性の高い金属材料によって略矩形の枠状に形成され、前方に開口された配置凹部７３ａを有している。基板ホルダー７３には配置凹部７３ａに連通された取付孔７３ｂが形成されている。
【０１１０】
基板ホルダー７３は素子ホルダー７１に取り付けられ、基板ホルダー７３が素子ホルダー７１に取り付けられた状態において配置凹部７３ａに撮像素子７２ｂと素子制御基板７２ｃが配置される。
【０１１１】
基板ホルダー７３の上端部には第１の制御基板７４が取り付けられている（図１３参照）。第１の制御基板７４には、例えば、第１の駆動モーター６０と第２の駆動モーター６１の駆動を制御する制御回路が形成されている。
【０１１２】
基板ホルダー７３の後面には第２の制御基板７５が取り付けられている（図１２及び図１３参照）。第２の制御基板７５は、撮像ユニット３が装置本体２に取り付けられた状態において撮像ユニット３と装置本体２の間での信号の送受信等を行う中継基板として機能する。
【０１１３】
基板ホルダー７３には取付孔７３ｂに挿通された状態で伝熱部材７６が取り付けられている（図１３参照）。伝熱部材７６は前端部が素子制御基板７２ｃに接合されている。
【０１１４】
筐体３９は、上記したように、フロントケース部４０とリアケース部７７を有している（図１０、図１２及び図１３参照）。リアケース部７７は前方に開口された厚みの薄い箱状に形成されている。
【０１１５】
リアケース部７７の中央部には前後に貫通された挿入孔７７ａが形成されている。リアケース部７７はリアカバー６９とフィルターホルダー４８に後方から結合される。リアケース部７７がリアカバー６９とフィルターホルダー４８に結合された状態において、リアケース部７７によって素子ホルダー７１と素子ユニット７２と基板ホルダー７３と第１の制御基板７４と第２の制御基板７５が覆われる。
【０１１６】
リアケース部７７の挿入孔７７ａには伝熱部材７６の後端部が挿入されている。
【０１１７】
リアケース部７７の後面にはフィンユニット７８が取り付けられている（図１２及び図１３参照）。フィンユニット７８はリアケース部７７の後面に取り付けられた取付板７８ａと取付板７８ａの後面に取り付けられた排熱フィン７８ｂ、７８ｂ、・・・とを有し、排熱フィン７８ｂ、７８ｂ、・・・が左右に離隔して位置されている。取付板７８ａは一部がリアケース部７７の挿入孔７７ａを後方から覆う状態でリアケース部７７の後面に取り付けられ、前面に伝熱部材７６の後面が接合されている。
【０１１８】
上記のように、伝熱部材７６は前端部が素子制御基板７２ｃに接合され後端部がフィンユニット７８の取付板７８ａに接合されている。従って、素子ユニット７２において発生する熱が伝熱部材７６を介してフィンユニット７８に伝達され排熱フィン７８ｂ、７８ｂ、・・・から排出される。
【０１１９】
また、基板ホルダー７３が熱伝導性の高い金属材料によって形成され、基板ホルダー７３に伝熱部材７６が取り付けられているため、基板ホルダー７３にそれぞれ取り付けられた第１の制御基板７４と第２の制御基板７５において発生する熱が基板ホルダー７３と伝熱部材７６を介してフィンユニット７８に伝達され排熱フィン７８ｂ、７８ｂ、・・・から排出される。
【０１２０】
上記のように、撮像装置１にあっては、撮像素子７２ｂへ向かう光の量を低減させる第１のフィルター体５３と第２のフィルター体５４が設けられ、第２のフィルター体５４を挟んだ反対側に第１のフィルター体５３と撮像素子７２ｂが位置され、第１のフィルター体５３に最も光学濃度が低い第１の中性濃度フィルター６２が設けられている。
【０１２１】
一般に、中性濃度フィルターにおいては光学濃度が高いほど光が入射された際に所謂「焼け」が生じ易く劣化が生じるおそれがあるため、第２のフィルター体５４より物体側に位置された第１のフィルター体５３に最も光学濃度が低い第１の中性濃度フィルター６２が設けられることにより、第１のフィルター体５３に設けられた第１の中性濃度フィルター６２と第２の中性濃度フィルター６３に焼けが生じ難く、第１の中性濃度フィルター６２と第２の中性濃度フィルター６３の劣化を抑制することができる。
【０１２２】
また、光が第１のフィルター体５３の第１の中性濃度フィルター６２又は第２の中性濃度フィルター６３を透過されて第２のフィルター体５４の第３の中性濃度フィルター６５又は第４の中性濃度フィルター６６に入射される可能性が高くなるため、第１の中性濃度フィルター６２又は第２の中性濃度フィルター６３によって光量が低減された光が第３の中性濃度フィルター６５又は第４の中性濃度フィルター６６に入射され易くなる。従って、第２のフィルター体５４に設けられた第３の中性濃度フィルター６５と第４の中性濃度フィルター６６にも焼けが生じ難くなり、第３の中性濃度フィルター６５と第４の中性濃度フィルター６６の劣化を抑制することもできる。
【０１２３】
さらに、第１のフィルター体５３を挟んだ第２のフィルター体５４の反対側に赤外線カットフィルター５０が配置されているため、第１の中性濃度フィルター６２、第２の中性濃度フィルター６３、第３の中性濃度フィルター６５及び第４の中性濃度フィルター６６に赤外線カットフィルター５０を透過された光が入射される。
【０１２４】
従って、第１の中性濃度フィルター６２、第２の中性濃度フィルター６３、第３の中性濃度フィルター６５及び第４の中性濃度フィルター６６の温度上昇を抑制して第１の中性濃度フィルター６２、第２の中性濃度フィルター６３、第３の中性濃度フィルター６５及び第４の中性濃度フィルター６６の良好な性能を確保することができる。
【０１２５】
さらにまた、第１のフィルター体５３と第２のフィルター体５４がそれぞれ回転可能にされ、第１のフィルター体５３と第２のフィルター体５４にそれぞれ光学濃度が異なり周方向に離隔して位置された第１の中性濃度フィルター６２、第２の中性濃度フィルター６３、第３の中性濃度フィルター６５及び第４の中性濃度フィルター６６が設けられている。
【０１２６】
従って、第１のフィルター体５３と第２のフィルター体５４を回転させることにより光学濃度が異なる中性濃度フィルターの組み合わせの数が増え、撮像素子７２ｂへ向かう光の低減量に関する自由度が高まるため、撮影態様の多様化を図ることができる。
【０１２７】
上記のように構成された撮像ユニット３は、上記したように、装置本体２の外筐５に対して着脱可能にされている（図３及び図４参照）。外筐５への撮像ユニット３の取付は、冷却用ファン２９が外筐５の内部に配置された状態において、撮像ユニット３の少なくとも一部を外筐５の前端部に形成された配置空間５ａに前側から挿入し、撮像ユニット３を前面板２５又は枠面部２３にネジ止め等によって固定することにより行われる。
【０１２８】
撮像ユニット３が外筐５に取り付けられた状態においては、フィンユニット７８の排熱フィン７８ｂ、７８ｂ、・・・が前面板２５のフィン挿通孔２５ａから挿入され外筐５の内部に位置される（図９参照）。排熱フィン７８ｂ、７８ｂ、・・・は流入孔１０ａ、１０ａ、・・・から吸気孔２６ａ、通気孔３０ａ及び排気孔１９ａ、１９ａ、・・・を通って流出孔１１ａ、１１ａ、・・・と言う冷却風の冷却流路に位置される。
【０１２９】
外パネル４におけるアッパーパネル部７の上面に取り付けられた調整台１５にはハンドル７９が着脱可能にされている（図１６乃至図１８参照）。ハンドル７９は前後に延びるベース台部８０とベース台部８０の長手方向における一端部から上方に突出された連結部８１と連結部８１の上端部に連続されベース台部８０と同じ方向に延びる持ち手部８２とを有している。
【０１３０】
ベース台部８０の下面には被支持板８３が着脱可能にされている。被支持板８３の左右両端部は反対方向に突出された被ガイド部８３ａ、８３ａとして設けられている。ベース台部８０にはロックレバー８４が支持されている。
【０１３１】
ハンドル７９は被支持板８３の被ガイド部８３ａ、８３ａがそれぞれ調整台１５のスライド溝１７ａ、１７ａに挿入されて調整部１７、１７に摺動されることにより、調整台１５に対して前後方向へスライド可能にされている。従って、ハンドル７９を調整台１５に対して前後方向へ移動させることにより、ハンドル７９を調整台１５に対して所望の位置に取り付けることが可能である。ハンドル７９を調整台１５に対して前後方向へ移動させた状態において、ロックレバー８４を操作することによりハンドル７９が調整台１５に対して移動された位置にロックされる。
【０１３２】
このようにハンドル７９は調整台１５に対して前後方向へ移動可能にされているため、撮像装置１の使用時に全体の重心を考慮して、ハンドル７９を把持した状態において最もバランスの良い位置にハンドル７９を取り付け、安定した撮影を行うことができる。
【０１３３】
また、ハンドル７９は向きを反対にして被ガイド部８３ａ、８３ａをスライド溝１７ａ、１７ａに挿入して調整部１７、１７に摺動させることが可能である（図１９参照）。従って、ハンドル７９を把持し易い向きに設定することにより、良好な撮影状態を確保することができる。
【０１３４】
さらに、ハンドル７９はベース台部８０と持ち手部８２が左右方向に延びる向きで調整台１５に取り付けることが可能である（図２０参照）。この場合にはベース台部８０から被支持板８３を取り外し、図示しない取付ネジを所望の調整用螺孔１７ｂに螺合してベース台部８０を一方の調整部１７に取り付ける。
【０１３５】
このようにハンドル７９を持ち手部８２が左右方向に延びる向きで調整台１５に取り付けることが可能であるため、ハンドル７９の調整台１５に対する向きの自由度が高くなり、ハンドル７９を把持し易い向きに設定することにより、一層良好な撮影状態を確保することができる。
【０１３６】
調整台１５にはハンドル７９の他にファインダーユニット８５も着脱可能にされている（図１６及び図２１参照）。ファインダーユニット８５は軸ホルダー８６、８７と被案内部材８８と支持軸８９、８９と回動アーム９０とビュー本体９１を有している。
【０１３７】
軸ホルダー８６は左右で連結されそれぞれ円筒状の支持筒部８６ａ、８６ａを有している。軸ホルダー８６には第１のロックレバー９２が支持されている。
【０１３８】
軸ホルダー８７は左右で連結されそれぞれ円筒状の支持筒部８７ａ、８７ａと支持筒部８７ａ、８７ａの上側に位置された円筒状の連結筒部８７ｂ、８７ｂとを有している。連結筒部８７ｂ、８７ｂの軸方向は支持筒部８７ａ、８７ａの軸方向に直交する方向にされている。軸ホルダー８７には、下側に第２のロックレバー９３が支持され、上側に第３のロックレバー９４が支持されている。
【０１３９】
被案内部材８８は軸ホルダー８６の下側に連結されている。被案内部材８８の左右両端部は反対方向に突出された被ガイド部８８ａ、８８ａとして設けられている。被案内部材８８には第４のロックレバー９５が支持されている。
【０１４０】
支持軸８９、８９は左右に平行な状態で軸ホルダー８６、８７に挿入される。支持軸８９は軸ホルダー８６の支持筒部８６ａと軸ホルダー８７の支持筒部８７ａとに挿通され、軸ホルダー８６、８７に軸方向（前後方向）へ摺動可能にされている。
【０１４１】
支持軸８９、８９が軸ホルダー８６に対して摺動された状態において、第１のロックレバー９２を操作することにより支持軸８９、８９が軸ホルダー８６にロックされる。また、支持軸８９、８９が軸ホルダー８７に対して摺動された状態において、第２のロックレバー９３を操作することにより支持軸８９、８９が軸ホルダー８７にロックされる。
【０１４２】
回動アーム９０は、ビュー本体９１と互いに可能に連結された回動支点部９０ａと、回動支点部９０ａから突出されたアーム部９０ｂと、アーム部９０ｂから突出された連結軸部９０ｃとを有している。連結軸部９０ｃはアーム部９０ｂからの突出方向が、回動支点部９０ａからのアーム部９０ｂの突出方向に対して直交する方向にされている。回動アーム９０の回動支点部９０ａには第５のロックレバー９６が支持されている。
【０１４３】
回動アーム９０は連結軸部９０ｃが軸ホルダー８７の連結筒部８７ｂ、８７ｂに挿入され、連結軸部９０ｃが軸ホルダー８７に軸方向（左右方向）へ摺動可能にされている。連結軸部９０ｃが軸ホルダー８７に対して摺動された状態において、第３のロックレバー９４を操作することにより連結軸部９０ｃが軸ホルダー８７にロックされる。また、連結軸部９０ｃは軸ホルダー８７に軸回り方向へ回転可能にされており、連結軸部９０ｃが軸ホルダー８７に対して回転された状態において、第３のロックレバー９４を操作することにより連結軸部９０ｃが軸ホルダー８７にロックされる。
【０１４４】
回動アーム９０は回動支点部９０ａがビュー本体９１と互いに回動可能に連結されており、回動アーム９０又はビュー本体９１が回動された状態において、第５のロックレバー９６を操作することによりビュー本体９１にロックされる。
【０１４５】
ビュー本体９１は、一端部がファインダー部９１ａとして設けられ、他端部に回動支点部９０ａと連結された連結支点部９１ｂが設けられている。
【０１４６】
ファインダーユニット８５は被案内部材８８の被ガイド部８８ａ、８８ａがそれぞれ調整台１５のスライド溝１７ａ、１７ａに挿入されて調整部１７、１７に摺動されることにより、調整台１５に対して前後方向へスライド可能にされている。従って、ファインダーユニット８５を調整台１５に対して前後方向へ移動させることにより、ファインダーユニット８５を調整台１５に対して所望の位置に取り付けることが可能である。ファインダーユニット８５を調整台１５に対して前後方向へ移動させた状態において、第４のロックレバー９５を操作することによりファインダーユニット８５が調整台１５に対して移動された位置にロックされる。
【０１４７】
このようにファインダーユニット８５は調整台１５に対して前後方向へ移動可能にされているため、撮像装置１の使用時に全体の重心を考慮して、最もバランスの良い位置にファインダーユニット８５を取り付け、安定した撮影を行うことができる。
【０１４８】
また、ファインダーユニット８５は向きを反対にして被ガイド部８８ａ、８８ａをスライド溝１７ａ、１７ａに挿入して調整部１７、１７に摺動させることが可能である。従って、ファインダーユニット８５を見易い向きに設定することにより、良好な撮影状態を確保することができる。
【０１４９】
さらに、ファインダーユニット８５においては、支持軸８９、８９を軸ホルダー８６、８７に対して移動させることが可能であり、ファインダー部９１ａの位置を所望の位置に設定することにより、一層良好な撮影状態を確保することができる。
【０１５０】
さらにまた、ファインダーユニット８５は軸ホルダー８７に対して連結軸部９０ｃを軸回り方向へ回転させることが可能であると共に回動支点部９０ａがビュー本体９１に互いに回動可能に連結されている。
【０１５１】
従って、ビュー本体９１のファインダー部９１ａを所望の向きに調整して使用することが可能になり、より一層良好な撮影状態を確保することができる（図２２及び図２３参照）。
【０１５２】
また、ファインダーユニット８５は軸ホルダー８７に対して連結軸部９０ｃを左右方向へ移動させることが可能である（図２４及び図２５参照）。
【０１５３】
従って、ビュー本体９１のファインダー部９１ａを左右方向において所望の位置に調整して使用することが可能になり、一層良好な撮影状態を確保することができる。
【０１５４】
尚、ファインダーユニット８５においては、支持軸８９、８９が左右に延びる向きで図示しない取付ネジを所望の調整用螺孔１７ｂに螺合して被案内部材８８を一方の調整部１７に取り付けることが可能にされていてもよい。また、ファインダーユニット８５においては、支持軸８９に代えて軸ホルダー８６、８７に回動アーム９０の連結軸部９０ｃが挿入される構成にすることが可能にされていてもよい。
【０１５５】
これらの場合には、連結軸部９０ｃが前後方向に延びる状態にされるため、ビュー本体９１のファインダー部９１ａを左右方向から見る向きに設定することが可能になり、撮影態様の自由度が高まり、一層良好な撮影状態を確保することができる。
【０１５６】
＜アクセサリーの構成及びマウント部への取付＞
撮像ユニット３のマウント部４１には第１のアクセサリー１００と第２のアクセサリー２００が選択的に取り付けられる。尚、マウント部４１には第１のアクセサリー１００と第２のアクセサリー２００以外の他のアクセサリーが着脱可能にされていてもよい。
【０１５７】
第１のアクセサリー１００は、例えば、交換レンズであり、外筒１０１の内外に所要の各部が配置されて成る（図１参照）。第１のアクセサリー１００は一部がマウント部４１の第１のマウント面４２に接した状態で撮像ユニット３に取り付けられる。
【０１５８】
外筒１０１の内部には図示しない複数のレンズ群が光軸方向に離隔して配置されている。外筒１０１の後端寄りの部分は装着部１０２として設けられ、装着部１０２における後面の外周部が装着面１０２ａとして形成されている。装着部１０２には装着面１０２ａに開口された図示しない位置決め穴が形成されている。
【０１５９】
外筒１０１の後端部は結合部１０３として設けられている。結合部１０３は装着部１０２における装着面１０２ａの内側の部分から後方に突出され略円筒状に形成されている。結合部１０３の後端部には外方に突出された円弧状の係合片１０４、１０４、１０４が周方向に離隔して設けられている。結合部１０３には周方向において並んで位置された複数の図示しない端子が配置されている。結合部１０３における外周面１０３ａの径はフロントケース部４０の内径、即ち、位置決め部４０ｅの径と略同じにされている。
【０１６０】
第１のアクセサリー１００は撮像ユニット３のマウント部４１に、以下のようにして取り付けられる。
【０１６１】
先ず、第１のアクセサリー１００は、装着部１０２に形成された位置決め穴にマウント部４１の位置決めピン４２ａが挿入され、装着部１０２の装着面１０２ａが第１のマウント面４２に近接又は接した状態にされ、結合部１０３が透過孔４０ａに挿入される。このとき結合部１０３の係合片１０４、１０４、１０４がそれぞれ結合リング４６の係合部４６ｂ、４６ｂ、４６ｂの間の部分に挿入され、係合片１０４、１０４、１０４がフィルターホルダー４８の前面に近接又は接した状態にされる。また、結合部１０３の端子が接点５１、５１、・・・に接続される。
【０１６２】
結合部１０３における外周面１０３ａの径は、上記したように、位置決め部４０ｅの径と略同じにされているため、結合部１０３が透過孔４０ａに挿入されるときには、位置決め部４０ｅによって第１のアクセサリー１００の光軸方向と直交する方向における位置決めが行われる。
【０１６３】
次に、取付レバー４５が回転され結合リング４６が取付レバー４５と一体になってフロントケース部４０に対して回転される。結合リング４６が回転されると、結合リング４６の回転に伴って螺合溝４６ａの螺溝４０ｃに対する螺合位置が変化されて取付レバー４５と結合リング４６が一体になってフロントケース部４０に対して後方へ変位される。結合リング４６が回転されることにより係合部４６ｂ、４６ｂ、４６ｂがそれぞれ係合片１０４、１０４、１０４の前側に位置されると共に係合部４６ｂ、４６ｂ、４６ｂがそれぞれ係合片１０４、１０４、１０４に押し付けられる。
【０１６４】
係合部４６ｂ、４６ｂ、４６ｂがそれぞれ係合片１０４、１０４、１０４に押し付けられることにより、係合片１０４、１０４、１０４が係合部４６ｂ、４６ｂ、４６ｂとフィルターホルダー４８によって挟持され、装着面１０２ａが第１のマウント面４２に接した状態で第１のアクセサリー１００がマウント部４１に取り付けられる。
【０１６５】
第２のアクセサリー２００は、例えば、アダプターであり、略円環状の支持ベース２０１を有している（図２、図１３、図２６、図２７及び図２８参照）。支持ベース２０１には後方に開口された環状凹部２０１ａが形成されている。環状凹部２０１ａは環状に形成されている。支持ベース２０１の内周部には後方に突出された環状の環状突部２０１ｂが設けられている。環状突部２０１ｂは断面形状で階段状に形成され、後方へ行くに従って径が小さくなる形状に形成されている。環状突部２０１ｂの一部における外径はフロントケース部４０の内径、即ち、位置決め部４０ｅの径と略同じにされている。
【０１６６】
支持ベース２０１の後面における外周部には略円環状の装着リング２０２が取り付けられている。装着リング２０２の後面は装着面２０２ａとして形成されている。装着面２０２ａは環状突部２０１ｂの後面より前方に位置されている。装着リング２０２には装着面２０２ａに開口された図示しない位置決め穴が形成されている。装着リング２０２には前後に貫通されたネジ挿通孔２０２ｂ、２０２ｂ、・・・が周方向に離隔して形成されている。
【０１６７】
支持ベース２０１の前端部における内周部には受けリング２０３が取り付けられている。受けリング２０３の外周面には螺溝２０３ａが形成されている。受けリング２０３には前方及び内方に開口された切欠２０３ｂ、２０３ｂが周方向に離隔して形成されている。
【０１６８】
支持ベース２０１の前面には接点２０４、２０４、・・・が周方向において並んで配置されている。接点２０４、２０４、・・・は受けリング２０３の切欠２０３ｂ、２０３ｂに位置されている。
【０１６９】
受けリング２０３には取付リング２０５が回転可能に支持されている。取付リング２０５は略円環状の環状部２０６と環状部２０６の前端部からそれぞれ内方に突出された係合部２０７、２０７、・・・とを有し、係合部２０７、２０７、・・・が周方向に離隔して設けられている。環状部２０６の内周面には螺合溝２０６ａが形成され、螺合溝２０６ａが受けリング２０３の螺溝２０３ａに螺合されている。
【０１７０】
取付リング２０５の前端部には環状の操作レバー２０８が取り付けられている。操作レバー２０８は円環状のベース部２０８ａとベース部２０８ａから突出された操作突部２０８ｂ、２０８ｂ、２０８ｂとを有している。操作突部２０８ｂ、２０８ｂ、２０８ｂは周方向に離隔して設けられている。
【０１７１】
支持ベース２０１の後面には端子配置部材２０９が取り付けられている。端子配置部材２０９は支持ベース２０１の環状凹部２０１ａに沿う形状に形成され、環状の逃げ凹部２０９ａを有している。端子配置部材２０９における下端部の後面には端子２１０、２１０、・・・が周方向に並んで配置されている。
【０１７２】
支持ベース２０１における環状突部２０１ｂの内周面には、例えば、ネジ止め等により窓部材２１１が取り付けられている。窓部材２１１は略円環状のフランジベース２１２とフランジベース２１２の後端部から互いに近づく方向へ突出された連結面部２１３、２１３、・・・と連結面部２１３、２１３、・・・における内側の端縁からそれぞれ後方に突出された張出突部２１４、２１４、・・・とを有している。
【０１７３】
連結面部２１３、２１３、・・・は、例えば、前後左右に四つが設けられ、内側の端縁が左右方向又は上下方向に延びる直線状に形成されている。
【０１７４】
窓部材２１１の内面には微少な多数の植毛が存在する風合いに形成される所謂植毛塗装が施されている。
【０１７５】
第２のアクセサリー２００において、操作突部２０８ｂが操作されることにより、操作レバー２０８と取付リング２０５が一体になって受けリング２０３に対して回転され、回転に伴って螺合溝２０６ａの螺溝２０３ａに対する螺合位置が変化されて操作レバー２０８と取付リング２０５が一体になって受けリング２０３に対して前後方向へ変位される。
【０１７６】
第２のアクセサリー２００は装置本体２のマウント部４１に、以下のようにして取り付けられる。
【０１７７】
先ず、第２のアクセサリー２００は、装着部２０２に形成された位置決め穴にマウント部４１の位置決めピン４３ａが挿入され、装着部２０２の装着面２０２ａが第２のマウント面４３に前側から押し付けられ、支持ベース２０１の環状突部２０１ｂと窓部材２１１の前端部を除く部分とが透過孔４０ａに挿入される（図１３参照）。このとき端子配置部材２０９に配置された端子２１０、２１０、・・・がそれぞれ接点４７、４７、・・・に接続される。また、取付レバー４５の操作突部４５ｃが端子配置部材２０９の逃げ凹部２０９ａに挿入される。
【０１７８】
このように端子配置部材２０９には取付レバー４５の操作突部４５ｃが挿入される逃げ凹部２０９ａが形成されているため、第２のアクセサリー２００のマウント部４１への取付時に取付レバー４５が第２のアクセサリー２００に干渉せず、第２のアクセサリー２００のマウント部４１に対する円滑な取付作業を行うことができる。
【０１７９】
環状突部２０１ｂの一部における外径は、上記したように、位置決め部４０ｅの径と略同じにされているため、環状突部２０１ｂが透過孔４０ａに挿入されるときには、位置決め部４０ｅによって第２のアクセサリー２００の光軸方向と直交する方向における位置決めが行われる。
【０１８０】
次に、ネジ挿通孔２０２ｂ、２０２ｂ、・・・にそれぞれネジ２２０、２２０、・・・が挿通され、ネジ２２０、２２０、・・・がそれぞれフロントケース部４０のネジ穴４０ｄ、４０ｄ、・・・に螺合されることにより、装着面２０２ａが第２のマウント面４３に接した状態で第２のアクセサリー２００がマウント部４１に取り付けられる。
【０１８１】
第２のアクセサリー２００がマウント部４１に取り付けられた状態においては、窓部材２１１によって第１のアクセサリー１００の端子が接続される接点５１、５１、・・・が遮蔽されている。
【０１８２】
従って、第１のアクセサリー１００の非使用時に接点５１、５１、・・・が遮蔽されるため、第２のアクセサリー２００の使用時に接点５１、５１、・・・での光の反射を防止して撮影される画像の品質の向上を図ることができる。
【０１８３】
また、第２のアクセサリー２００がマウント部４１に取り付けられた状態においては、窓部材２１１の張出突部２１４、２１４、・・・によって保持部材４９における保持部４９ａの開口縁が遮蔽される。
【０１８４】
従って、第１のアクセサリー１００の非使用時に保持部４９ａの開口縁が遮蔽されるため、第２のアクセサリー２００の使用時に保持部４９ａでの光の反射を防止して撮影される画像の一層の品質の向上を図ることができる。
【０１８５】
さらに、窓部材２１１は内面に植毛塗装が施されているため、第２のアクセサリー２００の使用時に窓部材２１１での光の反射も防止され、撮影される画像のより一層の品質の向上を図ることができる。
【０１８６】
また、撮像ユニット３には光軸に直交する方向における第１のアクセサリー１００と第２のアクセサリー２００の位置決めを行う位置決め部４０ｅが形成されている。
【０１８７】
従って、一つの位置決め部４０ｅによって撮像ユニット３の筐体３９に対する第１のアクセサリー１００と第２のアクセサリー２００の光軸に直交する方向における位置決めが行われるため、第１のアクセサリー１００の第１のマウント面４２への装着時と第２のアクセサリー２００の第２のマウント面４３への装着時に筐体３９に対する同一の位置決め精度が確保され、第１のアクセサリー１００の装着時と第２のアクセサリー２００の装着時において撮影される画像の品質の向上を図ることができる。
【０１８８】
第２のアクセサリー２００がマウント部４１に取り付けられた状態において、第２のアクセサリー２００には第３のアクセサリー３００が取り付けられる（図２参照）。
【０１８９】
第３のアクセサリー３００は、例えば、交換レンズであり、外筒３０１の内外に所要の各部が配置されて成る。
【０１９０】
外筒３０１の内部には図示しない複数のレンズ群が光軸方向に離隔して配置されている。  外筒３０１の後端部は結合部３０２として設けられている。結合部３０２の後端部には外方に突出された円弧状の係合片３０３、３０３、・・・が周方向に離隔して設けられている。結合部３０２には周方向において離隔して位置された複数の図示しない端子が配置されている。
【０１９１】
外筒３０１の前端部には撮影用枠３０４が着脱可能にされている。
【０１９２】
第３のアクセサリー３００は第２のアクセサリー２００に、以下のようにして取り付けられる。
【０１９３】
先ず、第３のアクセサリー３００は、結合部３０２の後面が受けリング２０３に前側から近接又は当接した状態にされ、結合部３０２が取付リング２０５の内側に挿入される。このとき結合部３０２の係合片３０３、３０３、・・・がそれぞれ取付リング２０５の係合部２０７、２０７、・・・の間の部分に挿入され、係合片３０３、３０３、・・・が受けリング２０３の前面に近接又は接した状態にされる。また、結合部３０２の端子が接点２０４、２０４、・・・に接続される。
【０１９４】
次に、操作レバー２０８が回転され取付リング２０５が操作レバー２０８と一体になって受けリング２０３に対して回転される。取付リング２０５が回転されると、取付リング２０５の回転に伴って螺合溝２０６ａの螺溝２０３ａに対する螺合位置が変化されて操作レバー２０８と取付リング２０５が一体になって受けリング２０３に対して後方へ変位される。取付リング２０５が回転されることにより係合部２０７、２０７、・・・がそれぞれ係合片３０３、３０３、・・・の前側に位置されると共に係合部２０７、２０７、・・・がそれぞれ係合片３０３、３０３、・・・に押し付けられる。
【０１９５】
係合部２０７、２０７、・・・がそれぞれ係合片３０３、３０３、・・・に押し付けられることにより、係合片３０３、３０３、・・・が係合部２０７、２０７、・・・と受けリング２０３によって挟持され、第３のアクセサリー３００が第２のアクセサリー２００に取り付けられる。
【０１９６】
上記したように、撮像装置１にあっては、少なくとも第１のアクセサリー１００と第２のアクセサリー２００が選択的に取り付けられるマウント部４１を有する筐体３９と、取り込まれた光を電気的信号に光電変換する撮像素子７２ｂとを備え、マウント部４１には第１のアクセサリー１００が取り付けられる第１のマウント面４２と第２のアクセサリー２００が取り付けられる第２のマウント面４３とが形成され、第１のマウント面４２と第２のマウント面４３が同一平面上に位置されている。
【０１９７】
従って、同一平面上に位置された第１のマウント面４２と第２のマウント面４３にそれぞれ第１のアクセサリー１００と第２のアクセサリー２００が取り付けられるため、マウント部４１に第１のアクセサリー１００と第２のアクセサリー２００の何れが取り付けられた場合においても、良好な光学性能を確保して画像の品質の向上を図ることができる。
【０１９８】
特に、マウント部４１に第１のアクセサリー１００と第２のアクセサリー２００の何れが取り付けられた場合においても、フランジバックの長さの高い精度が確保され、良好な光学性能の確保による画像の品質の向上を図ることができる。
【０１９９】
また、第１のマウント面４２と第２のマウント面４３が何れもフロントケース部４０の各一部として形成されているため、第１のマウント面４２と第２のマウント面４３が同一の部材に形成され、第１のマウント面４２と第２のマウント面４３の高い平面精度を確保することができると共に部品点数の削減及び強度の向上を図ることができる。
【０２００】
＜撮像装置における冷却動作＞
上記のように構成された撮像装置１において、装置本体２に撮像ユニット３が取り付けられると共にマウント部４１に第１のアクセサリー１００又は第２のアクセサリー２００と第３のアクセサリー３００が取り付けられた状態において、撮影等の使用時には電源の投入に伴って冷却用ファン２９が回転される。
【０２０１】
冷却用ファン２９が回転されると冷却用ファン２９の回転に伴って対流が発生する（図９参照）。冷却用ファン２９が回転されると、外パネル４の側面部１０に形成された流入孔１０ａ、１０ａ、・・・から外部の空気が冷却風として外パネル４の内部に流入され、流入された空気が外筐５の側面板２６に形成された吸気孔２６ａから冷却用ファン２９の通気孔３０ａを流動されて側面板１９に形成された排気孔１９ａ、１９ａ、・・・から排気され、外パネル４の側面部１２に形成された流出孔１１ａ、１１ａ、・・・から外部に流出される。
【０２０２】
このとき冷却風は吸気孔２６ａから放熱フィン２８、２８、・・・に沿って冷却用ファン２９へ向けて流動されると共に冷却用ファン２９から放熱フィン２４、２４、・・・に沿って排気孔１９ａ、１９ａ、・・・へ向けて流動される。
【０２０３】
撮影等の撮像装置１の使用時には、装置本体２の第１の回路基板３５と第２の回路基板３６と第３の回路基板３７と第４の回路基板３８において熱が発生すると共に撮像ユニット３の第１の制御基板７４と第２の制御基板７５と素子制御基板７２ｃにおいて熱が発生する。
【０２０４】
第１の回路基板３５において発生した熱は、主に、第１の結合部２８ａ、２８ａ、・・・から放熱フィン２８、２８、・・・に伝達される。第２の回路基板３６において発生した熱は、主に、後面板２７から側面板１９を介して放熱フィン２８、２８、・・・に伝達されると共に後面板２７から底面板２１を介して放熱フィン２４、２４、・・・に伝達される。第３の回路基板３７において発生した熱は、主に、側面板１９を介して放熱フィン２８、２８、・・・に伝達される。第４の回路基板３８において発生した熱は、主に、第２の結合部２８ｂ、２８ｂ、・・・から放熱フィン２８、２８、・・・に伝達される。
【０２０５】
このように第１の回路基板３５と第２の回路基板３６と第３の回路基板３７と第４の回路基板３８において発生した熱は何れも放熱フィン２８、２８、・・・又は放熱フィン２４、２４、・・・に伝達される。従って、吸気孔２６ａから放熱フィン２８、２８、・・・に沿って冷却用ファン２９へ向けて流動されると共に冷却用ファン２９から放熱フィン２４、２４、・・・に沿って排気孔１９ａ、１９ａ、・・・へ向けて流動される冷却風によって放熱フィン２８、２８、・・・又は放熱フィン２４、２４、・・・から効率的に熱が放出され、第１の回路基板３５と第２の回路基板３６と第３の回路基板３７と第４の回路基板３８の温度上昇が抑制される。
【０２０６】
また、撮像ユニット３の第１の制御基板７４と第２の制御基板７５と素子制御基板７２ｃにおいて発生した熱は、主に、基板ホルダー７３と伝熱部材７６と取付板７８ａを介して排熱フィン７８ｂ、７８ｂ、・・・に伝達される。
【０２０７】
このとき排熱フィン７８ｂ、７８ｂ、・・・は冷却風の冷却流路に位置されているため、冷却風によって排熱フィン７８ｂ、７８ｂ、・・・から効率的に熱が放出され、第１の制御基板７４と第２の制御基板７５と素子制御基板７２ｃの温度上昇が抑制される。
【０２０８】
上記のように撮像装置１にあっては、冷却用ファン２９が挿入される挿入孔２５ｂが形成された外筐５と、撮像素子７２ｂを有し外筐５に対して着脱可能にされ外筐５に取り付けられた状態において挿入孔２５ｂを覆う撮像ユニット３とを備え、撮像ユニット３が外筐５から取り外された状態において冷却用ファン２９が外筐５に対して挿入孔２５ｂを介して着脱可能にされている。
【０２０９】
従って、撮像ユニット３を外筐５から取り外すことにより冷却用ファン２９を挿入孔２５ｂから引き出して外筐５から取り外すことが可能になるため、冷却用ファン２９のメンテナンス性の向上を図り撮像装置１における良好な動作状態を確保することができる。
【０２１０】
また、外筐５は上下方向を向く天面板２０と上縁が天面板２０の外周縁の少なくとも一部に連続された周面板２２とを有し、挿入孔２５ｂが周面板２２に形成されている。
【０２１１】
従って、挿入孔２５ｂが天面板２０に形成されないため、雨水等の水分が挿入孔２５ｂから外筐５の内部に侵入し難く、外筐５の内部に配置される各部に対する防水性の向上を図ることができる。
【０２１２】
さらに、外筐５には対向する一対の側面板１９、２６が設けられ、側面板２６に外部の空気を冷却風として取り込む吸気孔２６ａが形成され、側面板１９に吸気孔２６ａから外筐５の内部に取り込まれた冷却風を外部へ排出する排気孔１９ａ、１９ａ、・・・が形成されている。
【０２１３】
従って、冷却流路が側面板１９と側面板２６の間に形成されるため、冷却風が外筐５の内部で円滑に流動され、外筐５の内部に配置される各部や外筐５に取り付けられる各部に対する冷却効率の向上を図ることができる。
【０２１４】
また、天面板２０に吸気孔２６ａと排気孔１９ａ、１９ａ、・・・が形成されないため、雨水等の水分が吸気孔２６ａや排気孔１９ａ、１９ａ、・・・から外筐５の内部に侵入し難く、外筐５の内部に配置される各部に対する防水性の向上を図ることができる。
【０２１５】
さらに、冷却用ファン２９の回転によって吸気孔２６ａから冷却用ファン２９を通って排気孔１９ａ、１９ａ、・・・に至る冷却風の冷却流路が形成され、冷却流路に外筐５に結合された放熱フィン２４、２４、・・・、２８、２８、・・・が位置されている。
【０２１６】
従って、第１の回路基板３５と第２の回路基板３６と第３の回路基板３７と第４の回路基板３８において発生した熱が外筐５から放熱フィンに伝達され放熱フィン２４、２４、・・・、２８、２８、・・・から冷却流路に放出されるため、外筐５の内部に配置される各部や外筐５に取り付けられる各部に対する冷却効率の一層の向上を図ることができる。
【０２１７】
さらにまた、外筐５が熱伝導性を有する材料によって形成され、外筐５に第１の回路基板３５と第２の回路基板３６と第３の回路基板３７と第４の回路基板３８が取り付けられ、冷却用ファン２９が第１の回路基板３５と第２の回路基板３６と第３の回路基板３７と第４の回路基板３８に囲まれた位置に配置されている。
【０２１８】
従って、第１の回路基板３５と第２の回路基板３６と第３の回路基板３７と第４の回路基板３８の内側に冷却用ファン２９が位置されるため、冷却風の冷却流路が第１の回路基板３５と第２の回路基板３６と第３の回路基板３７と第４の回路基板３８の内側に形成され、第１の回路基板３５と第２の回路基板３６と第３の回路基板３７と第４の回路基板３８に対する冷却効率の向上を図ることができる。
【０２１９】
また、第１の回路基板３５と第２の回路基板３６と第３の回路基板３７と第４の回路基板３８の内側に冷却用ファン２９が位置されているため、外筐５の内部の空間を冷却用ファン２９の配置スペースとして有効に活用することが可能になり、冷却効率の向上を図った上で撮像装置１の小型化を図ることができる。
【０２２０】
さらに、撮像ユニット３の内部に第１の制御基板７４と第２の制御基板７５と素子制御基板７２ｃが配置され、撮像ユニット３に第１の制御基板７４と第２の制御基板７５と素子制御基板７２ｃにおいて発生する熱を放出する排熱フィン７８ｂ、７８ｂ、・・・が設けられ、外筐５には排熱フィン７８ｂ、７８ｂ、・・・が挿通されるフィン挿通孔２５ａが形成され、撮像ユニット３が外筐５に取り付けられた状態において排熱フィン７８ｂ、７８ｂ、・・・が冷却流路に位置される。
【０２２１】
従って、撮像ユニット３が外筐５に取り付けられた状態において吸気孔２６ａから取り込まれた冷却風によって第１の制御基板７４と第２の制御基板７５と素子制御基板７２ｃの温度の上昇が抑制されるため、第１の制御基板７４と第２の制御基板７５と素子制御基板７２ｃの温度の上昇を抑制するための専用の冷却手段を必要とせず、構造の簡素化を図った上で第１の制御基板７４と第２の制御基板７５と素子制御基板７２ｃに対する冷却効率の向上を図ることができる。
【０２２２】
加えて、外筐５に内側の空間が配置空間５ａとして形成された枠面部２３が設けられ、撮像ユニット３の少なくとも一部が配置空間５ａに挿入された状態で外筐５に取り付けられる。
【０２２３】
従って、撮像ユニット３の外筐５への取付が撮像ユニット３の少なくとも一部が配置空間５ａに挿入された状態で行われるため、撮像ユニット３の外筐５への取付を容易に行うことができると共に撮像ユニット３の外筐５に対する安定した取付状態を確保することができる。
【０２２４】
＜撮像装置の一実施形態＞
以下に、本技術撮像装置の一実施形態によるビデオカメラのブロック図を示す（図２９参照）。
【０２２５】
撮像装置（ビデオカメラ）１は、取り込まれた光を電気信号に変換する光電変換機能を有する撮像素子７２ｂと、撮影された画像信号のアナログ−デジタル変換等の信号処理を行うカメラ信号処理部４０１と、画像信号の記録再生処理を行う画像処理部４０２とを有している。また、撮像装置１は、撮影された画像等を表示する表示部４０３（表示部１３）と、メモリー４０８への画像信号の書込及び読出を行うＲ／Ｗ（リーダ／ライタ）４０４と、撮像装置１の全体を制御するＣＰＵ（Central Processing Unit）４０５と、ユーザーによって所要の操作が行われる各種のスイッチ等の入力部４０６（操作部１２）と、第１のアクセサリー１００又は第３のアクセサリー３００に設けられたレンズの駆動を制御するレンズ駆動制御部４０７とを備えている。
【０２２６】
カメラ信号処理部４０１は、撮像素子７２ｂからの出力信号に対するデジタル信号への変換、ノイズ除去、画質補正、輝度・色差信号への変換等の各種の信号処理を行う。
【０２２７】
画像処理部４０２は、所定の画像データーフォーマットに基づく画像信号の圧縮符号化・伸張復号化処理や解像度等のデーター仕様の変換処理等を行う。
【０２２８】
表示部４０３はユーザーの入力部４０６に対する操作状態や撮影した画像等の各種のデーターを表示する機能を有している。
【０２２９】
Ｒ／Ｗ４０４は、画像処理部４０２によって符号化された画像データーのメモリー４０８への書込及びメモリー４０８に記録された画像データーの読出を行う。
【０２３０】
ＣＰＵ４０５は、撮像装置１に設けられた各回路ブロックを制御する制御処理部として機能し、入力部４０６からの指示入力信号等に基づいて各回路ブロックを制御する。
【０２３１】
入力部４０６はユーザーによる操作に応じた指示入力信号をＣＰＵ４０５に対して出力する。
【０２３２】
レンズ駆動制御部４０７は、ＣＰＵ４０５からの制御信号に基づいてレンズ群４１０、４１０、・・・を駆動する図示しないモータ等を制御する。
【０２３３】
メモリー４０８は、例えば、Ｒ／Ｗ４０４に接続されたスロットに対して着脱可能な半導体メモリーである。尚、メモリー４０８は、スロットに対して着脱可能にされておらず、撮像装置１の内部に組み込まれていてもよい。
【０２３４】
以下に、撮像装置１における動作を説明する。
【０２３５】
撮影の待機状態では、ＣＰＵ４０５による制御の下で、撮影された画像信号がカメラ信号処理部４０１を介して表示部４０３に出力され、カメラスルー画像として表示される。また、入力部４０６からのズーミングのための指示入力信号が入力されると、ＣＰＵ４０５がレンズ駆動制御部４０７に制御信号を出力し、レンズ駆動制御部４０７の制御に基づいて所定のレンズ群４１０が移動される。
【０２３６】
入力部４０６からの指示入力信号により撮影が行われると、撮影された画像信号がカメラ信号処理部４０１から画像処理部４０２に出力されて圧縮符号化処理され、所定のデーターフォーマットのデジタルデーターに変換される。変換されたデーターはＲ／Ｗ４０４に出力され、メモリー４０８に書き込まれる。
【０２３７】
フォーカシングはＣＰＵ４０５からの制御信号に基づいてレンズ駆動制御部４０７が所定のレンズ群４１０を移動させることにより行われる。
【０２３８】
メモリー４０８に記録された画像データーを再生する場合には、入力部４０６に対する操作に応じてＲ／Ｗ４０４によってメモリー４０８から所定の画像データーが読み出され、画像処理部４０２によって伸張復号化処理が行われた後に、再生画像信号が表示部４０３に出力されて再生画像が表示される。
【０２３９】
尚、本技術において、「撮像」とは、撮像素子７２ｂによる取り込まれた光を電気信号に変換する光電変換処理から、カメラ信号処理部４０１による撮像素子７２ｂからの出力信号に対するデジタル信号への変換、ノイズ除去、画質補正、輝度・色差信号への変換等の処理、画像処理部４０２による所定の画像データーフォーマットに基づく画像信号の圧縮符号化・伸張復号化処理や解像度等のデーター仕様の変換処理、Ｒ／Ｗ４０４によるメモリー４０８への画像信号の書込処理までの一連の処理の一部のみ、または全てを含む処理のことを言う。
【０２４０】
即ち、「撮像」とは、撮像素子７２ｂによる取り込まれた光を電気信号に変換する光電変換処理のみを指してもよく、撮像素子７２ｂによる取り込まれた光を電気信号に変換する光電変換処理からカメラ信号処理部４０１による撮像素子７２ｂからの出力信号に対するデジタル信号への変換、ノイズ除去、画質補正、輝度・色差信号への変換等の処理までを指してもよく、撮像素子７２ｂによる取り込まれた光を電気信号に変換する光電変換処理からカメラ信号処理部４０１による撮像素子７２ｂからの出力信号に対するデジタル信号への変換、ノイズ除去、画質補正、輝度・色差信号への変換等の処理を経て、画像処理部４０２による所定の画像データーフォーマットに基づく画像信号の圧縮符号化・伸張復号化処理や解像度等のデーター仕様の変換処理までを指してもよく、撮像素子７２ｂによる取り込まれた光を電気信号に変換する光電変換処理からカメラ信号処理部４０１による撮像素子７２ｂからの出力信号に対するデジタル信号への変換、ノイズ除去、画質補正、輝度・色差信号への変換等の処理、及び画像処理部４０２による所定の画像データーフォーマットに基づく画像信号の圧縮符号化・伸張復号化処理や解像度等のデーター仕様の変換処理を経て指してもよく、Ｒ／Ｗ４０４によるメモリー４０８への画像信号の書込処理までを指してもよい。 上記の処理において各処理の順番は適宜入れ替わってもよい。
【０２４１】
また、本技術において、撮像ユニット及び撮影装置は、上記の処理を行う撮像素子７２ｂ、カメラ信号処理部４０１、画像処理部４０２、Ｒ／Ｗ４０４の一部のみまたは全てを含むように構成されていてもよい。
【０２４２】
また、撮像ユニットが撮像素子７２ｂ、カメラ信号処理部４０１、画像処理部４０２、Ｒ／Ｗ４０４のうち一部を含み、装置本体２が残りを含むように構成されていてもよい。
【０２４３】
＜本技術＞
本技術は、以下のような構成にすることができる。
【０２４４】
（１）
少なくとも第１のアクセサリーと第２のアクセサリーが選択的に取り付けられるマウント部を有する筐体と、
取り込まれた光を電気的信号に光電変換する撮像素子とを備え、
前記マウント部には前記第１のアクセサリーが取り付けられる第１のマウント面と前記第２のアクセサリーが取り付けられる第２のマウント面とが形成され、
前記第１のマウント面と前記第２のマウント面が同一平面上に位置された
撮像装置。
【０２４５】
（２）
前記第１のマウント面と前記第２のマウント面が同一の部材の各一部として形成された
前記（１）に記載の撮像装置。
【０２４６】
（３）
前記第１のマウント面に前記第１のアクセサリーが取り付けられた状態において前記第１のアクセサリーの端子が接続される接点が設けられ、
前記第２のマウント面に前記第２のアクセサリーが取り付けられた状態において前記接点が前記第２のアクセサリーによって遮蔽される
前記（１）又は前記（２）に記載の撮像装置。
【０２４７】
（４）
前記筐体には光軸に直交する方向における前記第１のアクセサリーと前記第２のアクセサリーの位置決めを行う位置決め部が形成された
前記（１）から前記（３）の何れかに記載の撮像装置。
【０２４８】
（５）
光軸上に位置され前記撮像素子へ向かう光の量を低減させる少なくとも一つの中性濃度フィルターを有する第１のフィルター体と、
光軸上において前記第１のフィルター体と離隔して位置され前記撮像素子へ向かう光の量を低減させる少なくとも一つの中性濃度フィルターを有する第２のフィルター体とを更に備え、
前記第２のフィルター体を挟んだ反対側に前記第１のフィルター体と前記撮像素子が位置され、
前記第１のフィルター体に前記中性濃度フィルターのうち最も光学濃度が低い中性濃度フィルターが設けられた
前記（１）から前記（４）の何れかに記載の撮像装置。
【０２４９】
（６）
前記第１のフィルター体を挟んだ前記第２のフィルター体の反対側に赤外線カットフィルターが配置された
前記（５）に記載の撮像装置。
【０２５０】
（７）
前記第１のフィルター体と前記第２のフィルター体がそれぞれ回転可能にされ、
前記第１のフィルター体と前記第２のフィルター体にそれぞれ光学濃度が異なり周方向に離隔して位置された複数の前記中性濃度フィルターが設けられた
前記（５）又は前記（６）に記載の撮像装置。
【０２５１】
（８）
少なくとも第１のアクセサリーと第２のアクセサリーが選択的に取り付けられるマウント部を有する筐体と、
前記筐体の内部に配置され取り込まれた光を電気的信号に光電変換する撮像素子とを備え、
前記マウント部には前記第１のアクセサリーが取り付けられる第１のマウント面と前記第２のアクセサリーが取り付けられる第２のマウント面とが形成され、
前記第１のマウント面と前記第２のマウント面が同一平面上に位置された
撮像ユニット。
【０２５２】
（９）
取り込まれた光を電気的信号に光電変換する撮像素子と、
光軸上に位置され前記撮像素子へ向かう光の量を低減させる少なくとも一つの中性濃度フィルターを有する第１のフィルター体と、
光軸上において前記第１のフィルター体と離隔して位置され前記撮像素子へ向かう光の量を低減させる少なくとも一つの中性濃度フィルターを有する第２のフィルター体とを備え、
前記第２のフィルター体を挟んだ反対側に前記第１のフィルター体と前記撮像素子が位置され、
前記第１のフィルター体に前記中性濃度フィルターのうち最も光学濃度が低い中性濃度フィルターが設けられた
撮像装置。
【０２５３】
（１０）
前記第１のフィルター体を挟んだ前記第２のフィルター体の反対側に赤外線カットフィルターが配置された
前記（９）に記載の撮像装置。
【０２５４】
（１１）
前記第１のフィルター体と前記第２のフィルター体がそれぞれ回転可能にされ、
前記第１のフィルター体と前記第２のフィルター体にそれぞれ光学濃度が異なり周方向に離隔して位置された複数の前記中性濃度フィルターが設けられた
前記（９）又は前記（１０）に記載の撮像装置。
【０２５５】
（１２）
アクセサリーが取り付けられるマウント部を有する筐体と、
前記筐体の内部に配置され取り込まれた光を電気的信号に光電変換する撮像素子と、
光軸上に位置され前記撮像素子へ向かう光の量を低減させる少なくとも一つの中性濃度フィルターを有する第１のフィルター体と、
光軸上において前記第１のフィルター体と離隔して位置され前記撮像素子へ向かう光の量を低減させる少なくとも一つの中性濃度フィルターを有する第２のフィルター体とを備え、
前記第２のフィルター体を挟んだ反対側に前記第１のフィルター体と前記撮像素子が位置され、
前記第１のフィルター体に前記中性濃度フィルターのうち最も光学濃度が低い中性濃度フィルターが設けられた
撮像ユニット。
【符号の説明】
【０２５６】
１…撮像装置、３…撮像ユニット、３９…筐体、４１…マウント部、４２…第１のマウント面、４３…第２のマウント面、５０…赤外線カットフィルター、５１…接点、５３…第１のフィルター体、５４…第２のフィルター体、６２…第１の中性濃度フィルター、６３…第２の中性濃度フィルター、６５…第３の中性濃度フィルター、６６…第４の中性濃度フィルター、７２ｂ…撮像素子、１００…第１のアクセサリー、２００…第２のアクセサリー
【図１】
2019171723.tif 000003
【図２】
2019171723.tif 000004
【図３】
2019171723.tif 000005
【図４】
2019171723.tif 000006
【図５】
2019171723.tif 000007
【図６】
2019171723.tif 000008
【図７】
2019171723.tif 000009
【図８】
2019171723.tif 000010
【図９】
2019171723.tif 000011
【図１０】
2019171723.tif 000012
【図１１】
2019171723.tif 000013
【図１２】
2019171723.tif 000014
【図１３】
2019171723.tif 000015
【図１４】
2019171723.tif 000016
【図１５】
2019171723.tif 000017
【図１６】
2019171723.tif 000018
【図１７】
2019171723.tif 000019
【図１８】
2019171723.tif 000020
【図１９】
2019171723.tif 000021
【図２０】
2019171723.tif 000022
【図２１】
2019171723.tif 000023
【図２２】
2019171723.tif 000024
【図２３】
2019171723.tif 000025
【図２４】
2019171723.tif 000026
【図２５】
2019171723.tif 000027
【図２６】
2019171723.tif 000028
【図２７】
2019171723.tif 000029
【図２８】
2019171723.tif 000030
【図２９】
2019171723.tif 000031
【国際調査報告】
2019171723.tif 000032
2019171723.tif 000033
2019171723.tif 000034
2019171723.tif 000035
2019171723.tif 000036
2019171723.tif 000037
2019171723.tif 000038
2019171723.tif 000039